(57)【要約】【課題】回線の利用効率が高い映像・音声データ伝送装置を提供する。【解決手段】ＭＸＦ保存対応カメラ１と、該カメラ１が出力するＭＸＦファイルの映像・音声データを入力し、第一のデータ形式で保存するレコーダ２と、ＭＸＦファイルのアンラッピング／ラッピンクを行うＰＣ３と、第一のデータ形式の映像・音声データを圧縮率の高い第二のデータ形式の映像・音声データに変換するトランスコーダ４と、変換された第二のデータ形式の映像・音声データを通信衛星に送信するＩＰ ＭＯＤＥＭ５を備え、ＰＣ３に搭載のＭＸＦファイルラッピング・アンラッピングＳ／Ｗにより、トランスコーダ４へ入力される第一のデータ形式の映像・音声データのＭＸＦファイルをアンラピングすると共に、トランスコーダ４で変換された第二のデータ形式の映像・音声データをＭＸＦファイルにラッピングする。【選択図】図１
2011217246.tif 000002
【特許請求の範囲】
【請求項１】
映像・音声データの取得を行うＭＸＦ保存対応カメラと、
上記ＭＸＦ保存対応カメラが出力するＭＸＦファイルの上記映像・音声データを入力し、上記映像・音声データを第一のデータ形式でデータ化して保存するレコーダと、
ＭＸＦファイルラッピング・アンラッピングＳ／Ｗを搭載し、ＭＸＦファイルのアンラッピングあるいはラッピンクを行うＰＣと、
上記第一のデータ形式でデータ化された映像・音声データを上記第一のデータ形式よりも圧縮率の高い第二のデータ形式の映像・音声データに変換するトランスコーダと、
上記トランスコーダで変換された上記第二のデータ形式の映像・音声データを通信衛星に送信するＩＰ ＭＯＤＥＭとを備え、
上記ＰＣに搭載されたＭＸＦファイルラッピング・アンラッピングＳ／Ｗにより、上記レコーダから上記トランスコーダへ入力される上記第一のデータ形式の映像・音声データのＭＸＦファイルをアンラピングすると共に、上記トランスコーダで変換された上記第二のデータ形式の映像・音声データをＭＸＦファイルにラッピングすることを特徴とする映像・音声データ伝送装置。
【請求項２】
上記第一のデータ形式はＭＰＥＧ−２であり、上記第二のデータ形式はＨ．２６４であることを特徴とする請求項１に記載の映像・音声データ伝送装置。
【発明の詳細な説明】
【技術分野】
【０００１】
この発明は、映像・音声データ伝送装置に係わり、更に詳しくは、ＭＸＦ形式にラッピングされたデータを、ＩＰ（Internet Protcol） ＭＯＤＥＭにて送受信を行う映像・音
声データ伝送装置に関する。
【背景技術】
【０００２】
事件や事故等のニュースの取材に際して、通信衛星を利用してニュース素材を伝送するＳＮＧ（Satellite News Gathering）システムが利用されている。
ＳＮＧシステムとは、事件・事故現場等で撮影した音声・画像を取材現場から通信衛星を利用して基地局に伝送するニュース素材伝送システムである。
近年、ＭＸＦ（ Material Exchange Format ）規格により映像・音声データをファイル化して扱う動きが放送業界の業務用映像作成において盛んになっている。
ＭＸＦとはＳＭＰＴＥ（Society of Motion Picture and Television Engineers Inc：全米映画テレビジョン技術者協会）によって規格化された放送局などのプロユースのデジタル映像や音声を扱うためのファイルコンテナフォーマットのことである。
【０００３】
ＳＮＧにおいても、取材で使用するカメラにＭＸＦを用いたテープレスカメラシステムが利用されている。
テープレスカメラとは、カメラ内に符号化装置を装備し、撮影した映像・音声データを符号化し、符号化したデータをＭＸＦファイル化してＭＸＦファイルをアウトプットするカメラのことである。
また、カメラにて作成されたＭＸＦファイルを通信衛星経由で伝送するために、衛星通信用ＩＰ ＭＯＤＥＭの利用も行われている。
なお、下記の非特許文献１には、本願発明のベースとなるＭＸＦファイルを用いた映像・音声データ伝送システムが記載されている。
【先行技術文献】
【非特許文献】
【０００４】
【非特許文献１】Ｔｈｅ Ｆｉｌｅ Ｂａｓｅ Ｂｏｏｋ  〜ＭＸＦによる放送ワークフローの変革〜  「スタジオ設備開発部会 ＭＸＦ作業班」著  「社団法人 電波産業会」出版  平成１７年６月  ｐ７２〜ｐ７４
【発明の概要】
【発明が解決しようとする課題】
【０００５】
従来、ＳＮＧにおけるＭＸＦファイル伝送システムでは、ＭＸＦファイルを作成する機材（カメラ）によってファイル内容（圧縮率・圧縮形式）が決定されてしまう。
例えば、Ｈ．２６４（国際電気通信連合によって勧告された「動画データの圧縮符号化方式」の標準の１つ）でのＭＸＦファイル伝送を行いたい場合でも、機材（即ち、カメラ）がＭＰＥＧ−２でのファイル圧縮を行う場合は、動画データの符号圧縮率が低いＭＰＥＧ−２形式にてファイル伝送を行うしかなく、回線の利用効率が悪い。
【０００６】
従来のＳＮＧにおけるファイル伝送システムでは、ＭＸＦ化を行う機材からレコーダを通してＩＰ ＭＯＤＥＭにＭＸＦファイルを送り、通信衛星に伝送する構成であった。
本発明は、このような従来のファイル伝送システムの「回線の利用効率が悪い」という問題点を解決するためになされたものであり、回線の利用効率が高い「ＭＸＦファイル形式のデータによる映像・音声データ伝送装置」を提供することを目的とする。
本発明は、従来構成のレコーダとＩＰ ＭＯＤＥＭと間に「ＭＸＦファイルのアンラッ
ピング→トランスコード→ラッピング」の過程を挟むことによって、本来行いたいファイル内容（即ち、符号圧縮率が高く、効率の良いファイル形式）にてデータ伝送を可能とするものである。
【０００７】
なお、ＭＸＦファイルのアンラッピングとは、ＭＸＦファイル形式のデータをＭＸＦファイルに変換する前の元のデータに戻すことである。
ＭＸＦファイル化を実施する場合、後掲する図３および図４に示すように、ファイル化対象のデータをエッセンスコンテナと呼ばれる部分に格納（ファイル化）する。
ＭＸＦファイルのアンラッピングは、この格納したデータを再度格納前のデータに戻すことを指す。アンラッピングを実施するのは、トランスコーダにてデータ圧縮形式の変更処理を実施可能にするためである。
【課題を解決するための手段】
【０００８】
本発明に係る映像・音声データ伝送装置は、映像・音声データの取得を行うＭＸＦ保存対応カメラと、上記ＭＸＦ保存対応カメラが出力するＭＸＦファイルの上記映像・音声データを入力し、上記映像・音声データを第一のデータ形式でデータ化して保存するレコーダと、ＭＸＦファイルラッピング・アンラッピングＳ／Ｗを搭載し、ＭＸＦファイルのアンラッピングあるいはラッピンクを行うＰＣと、上記第一のデータ形式でデータ化された映像・音声データを上記第一のデータ形式よりも圧縮率の高い第二のデータ形式の映像・音声データに変換するトランスコーダと、上記トランスコーダで変換された上記第二のデータ形式の映像・音声データを通信衛星に送信するＩＰ ＭＯＤＥＭとを備え、
上記ＰＣに搭載されたＭＸＦファイルラッピング・アンラッピングＳ／Ｗにより、上記レコーダから上記トランスコーダへ入力される上記第一のデータ形式の映像・音声データのＭＸＦファイルをアンラピングすると共に、上記トランスコーダで変換された上記第二のデータ形式の映像・音声データをＭＸＦファイルにラッピングするものである。
【発明の効果】
【０００９】
通信衛星を利用した無線伝送のためには、周波数の有効利用の観点から、より効率の良い符号化方式の適用が望ましい。
本発明によれば、ＭＸＦファイル保存対応のカメラ（即ち、撮影した画像データをＭＸＦファイルで保存するカメラ）にて撮影を行った第一のデータ形式のファイルデータを、回線品質や伝送コストに応じた圧縮率の高い第二のデータ形式に変換してＩＰ ＭＯＤＥ
Ｍから送信を行うことが可能であり、回線の利用効率の向上を図ることができる。
【図面の簡単な説明】
【００１０】
【図１】この発明の実施の形態１による映像・音声データ伝送装置の概略構成を示す図である。
【図２】実施例の形態１におけるデータの流れを示すシーケンス図である。
【図３】クリップラッピングを示す図である。
【図４】フレームラッピングを示す図である。
【図５】実施の形態１におけるＴＳパケットのトランスコーダ部への出力説明の補足図である。
【図６】実施例の形態１におけるＴＳパケットのＭＸＦファイルラッピング・アンラッピングＳ／Ｗ部への出力説明の補足図である。
【発明を実施するための形態】
【００１１】
以下、図面に基づいて、本発明の実施の形態について説明する。
実施の形態１．
図１は、実施の形態１による映像・音声データ伝送装置の概略構成を示す図である。
図に示すように、実施の形態１におけるＭＸＦファイル再圧縮システム（即ち、データ
を圧縮率の高い符号化形式に変換する映像・音声データ伝送装置）は、映像・音声データの取得を行うＭＸＦ保存対応カメラ（即ち、撮影した画像データをＭＸＦファイルで保存するカメラ）１、取得した映像・音声のデータ化を行うＭＸＦ対応レコーダ２、ＭＸＦファイルラッピング・アンラッピングＳ／Ｗを搭載し、ＭＸＦファイルのラッピングあるいはアンラッピングを行うＰＣ（パソコン）３、データ形式の変換を行うトランスコーダ４、通信衛星経由でデータ伝送を行うＩＰ ＭＯＤＥＭ５から構成されている。
【００１２】
本実施の形態によるは映像・音声データ伝送装置は、ＭＰＥＧ−２形式での符号化保存のカメラで取得したＭＸＦファイルを、例えば、Ｈ．２６４符号化形式のＭＸＦファイルに変更して圧縮率を向上させてＩＰ ＭＯＤＥＭより送信を行うことにより、通信衛星回
線の利用効率を向上させるものである。
システムを構築する場合、入力（本例におけるＭＰＥＧ−２）と出力（本例におけるＨ．２６４）は、ＭＸＦファイル化可能な符号化フォーマットであればなんでも良い。
ＭＸＦファイル化可能な符号化データフォーマットは、ＳＭＰＴＥ規格にて定められている。
【００１３】
図１において、ＭＸＦ保存対応カメラ（以下、単にカメラとも称す）１は、カメラ内に符号化装置を装備し、撮影した映像・音声を符号化し、符号化したデータをＭＸＦファイル化してＭＸＦファイルをアウトプットする機能を有する。
レコーダ２は、カメラ１にて作成されたＭＸＦファイルを受け取り、ＭＸＦファイルラッピング／アンラッピングＳ／Ｗを搭載したＰＣ（パソコン）３への伝送を可能とする機能を有する。
ＭＸＦファイルラッピング／アンラッピングＳ／Ｗを搭載したＰＣ３は、レコーダ２より受け取ったＭＸＦファイルをラッピング／アンラッピングする機能、アンラッピングしたデータをトランスコーダ４へ入力する機能、および、ラッピングしたＭＸＦファイルをＩＰ ＭＯＤＥＭ５へ送信する機能を有する。
【００１４】
トランスコーダ４は、ＭＸＦファイルラッピング／アンラッピングＳ／Ｗを搭載したＰＣ３より受け取ったデータのトランスコードを行い、トランスコード後のデータをＭＸＦファイルラッピング/アンラッピングＳ／Ｗを搭載したＰＣ３へ送信する機能を有する。
ＩＰ ＭＯＤＥＭ５は、ＭＸＦファイルラッピング/アンラッピングＳ／Ｗを搭載したＰＣ３より受け取ったＭＸＦファイルを通信衛星に向けて伝送する機能を有する。
【００１５】
次に、本発明におけるＭＸＦファイル再圧縮システムのデータの流れを図２に示す。
図２において、カメラ１では、撮影した映像・音声データをカメラ１内でＭＰＥＧ−２データ形式でＭＸＦファイルラッピングし、ＭＸＦファイルを作成し、レコーダ２への送信を行う。
ラッピングを行う形式は、図３に示すフレームラッピングを推奨するが、カメラ１がフレームラッピングに対応していない場合には、図４に示すクリップラッピングでも可能とする。
また、ＭＰＥＧ−２形式のデータをＭＸＦファイルにラッピングする方法に関しては、ＳＭＰＴＥ規格（ＳＭＰＴＷ３６Ｍ）を参照。
【００１６】
なお、フレームラッピングとは、フィールド（フレーム）を単位としたマッピング方法のことである。
即ち、フレームラッピングとは、図３に示すように、画像（ピクチュアアイテム）と音声（サウンドアイテム）と付加データ（データエレメント）を１まとめにしてラッピング（ファイル化）する方法のことである。
クリップラッピングとは、単一のデータを単位としたマッピング方法のことである。
即ち、クリップラッピングとは、図４に示すように、画像は画像のみ、音声は音声のみ
で１まとめにしてラッピング（ファイル化）する方法のことである。
クリップラッピングでは、フレームラッピングと比べ、オーバーヘッダを減らす（ＭＸＦ化行う時に必要なデータ量を小さくする）ことができ、処理時間の短縮を見込むことが可能であるので、クリップラッピングが推奨される。
【００１７】
図２において、レコーダ２では、カメラ１より送られてきたＭＸＦファイルを、ネットワークでファイルの転送を行うための通信プロトコルであるＦＴＰ（ File Transfer Protocol）を用いて、ＭＸＦファイルラッピング／アンラッピングＳ／Ｗを搭載したＰＣ３に送信を行う。
ＰＣ３は、受け取ったＭＸＦファイルのアンラッピングを行い、ＭＰＥＧ−２形式の映像・音声データを抽出する。
抽出した映像・音声データは、トランスコーダ４へＴＳ（Transport Stream：ＭＰＥＧシステムの伝送フレーム形式）多重パケット（図５参照）として送信を行う。
なお、ＴＳ多重パケットとは、ＩＤ（タグ）を付加した複数のＴＳパケットを１つの伝送路で伝送することである。
【００１８】
トランスコーダ４は、受け取ったＭＰＥＧ−２形式の映像・音声データを、目的とする符号化形式のデータ（例えば、Ｈ．２６４形式のデータ）へのトランスコードを行う。
トランスコードを行った映像・音声データは、再度ＭＸＦファイルラッピング/アンラ
ッピングＳ／Ｗを搭載したＰＣ３にＴＳ多重パケット（図６参照）として送信を行う。
なお、図５および図６において、映像（ビデオ）のＰＥＳ化される単位は、１映像フレーム分のＥＳであり、３３ｍｓ周期に１つのＰＥＳを生成する。
また、音声（オーディオ）のＰＥＳ化される単位は、１オーディオフレーム分のＥＳである。（但し、符号化方式や符号化レートによりＰＥＳ化単位が異なる）
【００１９】
ここで、図５および図６において記載されている用語について説明しておく。
ＥＳとは、Elmentary Streamのことであり、「符号化された音声や画像」を指す。
ＰＥＳとは、Packetized Elmentary Streamのことであり、「画像ＥＳまたは音声ＥＳ
をパケット化した」ものを指す。
ＰＭＴとは、Program Map Tableののことであり、「プログラムに含まれたＩＤの情報
」を指す。
ＰＡＴとは、Program Association Tableのことであり、「あるＴＳ内に含まれるプロ
グラム一覧を、ＰＭＴのＩＤで格納したもの」を指す。
ペイロードとは、「パケット通信において、パケットの総サイズのうち、ヘッダの情報を除いたデータの部分」を指す。
【００２０】
ＭＸＦファイルラッピング／アンラッピングＳ／Ｗを搭載したＰＣ３は、トランスコードされたデータを受け取り、再度ＭＸＦファイルへのラッピングを行う。（Ｈ．２６４のＭＸＦラッピング方法は、ＳＭＰＴＥ ＲＰ２００８を参照）
更に、ラッピング時にメタデータの付加を行う。
メタデータの内容は、システムの運用により異なる。メタデータ付加に関しては、ＳＭＰＴＥ規格ＳＭＰＴＥ３８０参照。
なお、メタデータとは、例えばエクセルファイルのタイトルは、ファイルの中身をエクセルファイルを開かずに判断でるように付いているデータであり、中身のデータには全く影響のない付加データのことである。
ＭＸＦファイルを作成する時に、ファイルを開かずに中身の各線ができるように、ラッピング時にメタデータの付加を行う。
ＩＰ ＭＯＤＥＭ５は、Ｈ．２６４形式のＭＸＦファイルを通信衛星にて伝送する。
【００２１】
以上説明したように、本発明による映像・音声データ伝送装置は、映像・音声データの
取得を行うＭＸＦ保存対応カメラ１と、ＭＸＦ保存対応カメラ１が出力するＭＸＦファイルの映像・音声データを入力し、映像・音声データをレコーダに保存された第一のデータ形式でデータ化して保存するレコーダ２と、ＭＸＦファイルラッピング・アンラッピングＳ／Ｗを搭載し、ＭＸＦファイルのアンラッピングあるいはラッピンクを行うＰＣ３と、第一のデータ形式でデータ化された映像・音声データを第一のデータ形式よりも圧縮率の高い第二のデータ形式の映像・音声データに変換するトランスコーダ４と、トランスコーダで変換された第二のデータ形式の映像・音声データを通信衛星に送信するＩＰ ＭＯＤ
ＥＭ５とを備え、ＰＣ３に搭載されたＭＸＦファイルラッピング・アンラッピングＳ／Ｗにより、レコーダ２からトランスコーダ４へ入力される第一のデータ形式の映像・音声データのＭＸＦファイルをアンラピングすると共に、トランスコーダ４で変換された第二のデータ形式の映像・音声データをＭＸＦファイルにラッピングする。
従って、本実施の形態によれば、カメラに依存しないＭＸＦファイル形式での通信衛星を使用し、回線伝送効率の向上を図ることができる。
【産業上の利用可能性】
【００２２】
本発明は、回線の利用効率が高い「ＭＸＦファイル形式のデータによる映像・音声データ伝送装置」の実現に有用である。
【符号の説明】
【００２３】
１  ＭＸＦ保存対応カメラ
２  ＭＸＦ対応レコーダ
３  ＭＸＦファイルラッピング・アンラッピングＳ／Ｗを搭載したＰＣ
４  トランスコーダ
５  ＩＰ ＭＯＤＥＭ
【図１】
2011217246.tif 000003
【図２】
2011217246.tif 000004
【図３】
2011217246.tif 000005
【図４】
2011217246.tif 000006
【図５】
2011217246.tif 000007
【図６】
2011217246.tif 000008